(57)【要約】【課題】  比較的大きな部品であるクランパ支持体を小形化するとともに、クランパによるディスクの円滑な心出しを可能にする。【解決手段】  クランパ支持体１２４のフローティングシャーシ６０に対する回動中心軸を、ターンテーブル１３の中心軸線より奥側位置において前記フローティングシャーシ６０の左右側板間６６，６７に設定し、前記ターンテーブル１３の中心軸線から前記回動中心軸までの距離Ｋを、ディスクの中心孔径より大きく、その２倍以内に設定する。【選択図】図９
2009099205.tif 000002
【特許請求の範囲】
【請求項１】
ターンテーブル（１３）を支持したシャーシ（６０）に、クランパ（１２２）を支持したクランパ支持体（１２４）を回動自在に装着し、該クランパ支持体の回動によりクランパをターンテーブルに接近させて該クランパの略円錐台形突部をディスクの中心孔に嵌合させるものとし、ばねによってターンテーブルとクランパとの間にディスク挟持圧を付与するディスク再生機において、
前記クランパ支持体の前記シャーシに対する回動中心軸を、前記ターンテーブルの中心軸線より奥側位置において前記シャーシの左右側板間（６６，６７）に設定し、前記ターンテーブルの中心軸線から前記回動中心軸までの距離（Ｋ）を、ディスクの中心孔径より大きく、かつその２倍以内に設定したことを特徴とするディスク再生機。
【請求項２】
前記クランパ支持体の奥側縁部（１３５）は、中央から左方および右方にかけて奥側へ傾斜させ、挿入されたディスクが該奥側縁部を通過して装填されることを特徴とする請求項１に記載のディスク再生機。
【発明の詳細な説明】
【技術分野】
【０００１】
本発明は、比較的大きな部品であるクランパ支持体を小形化するとともに、クランパによるディスクの心出しを円滑にしたディスク再生機に関する。
【背景技術】
【０００２】
従来、クランパを支持したクランパ支持体を回動させて、クランパをターンテーブルに接近させ、クランパとターンテーブルとでディスクを挟持するディスク再生機が種々提案されている。
【０００３】
特開平９−１２８８５９号には、次のようなディスククランプ装置が記載されている。
すなわち、クランパ８はクランプアーム（クランパ支持体）６に回転自在に支持され、クランプアーム６の支持軸（回動中心軸）５はユニットシャーシ１の最奥端部に設け、コイルばね９によってシャーシ１とクランプアーム６との間にディスク挟持圧を生じさせるようにしている。また、前記クランプアーム６の先部６ａには、クランパ８のピポット８ｂを押す押圧板７が固定されている。
【０００４】
そして、ディスク挿入時にはクランプアーム６が支持軸５を中心に回動して、クランパ８と回転テーブル（ターンテーブル）４とでディスクを挟持し、ディスクの再生を行う。
【特許文献１】特開平９−１２８８５９号
【発明の開示】
【発明が解決しようとする課題】
【０００５】
特開平９−１２８８５９号公報に開示されたディスククランプ装置では、クランパ支持体の回動中心軸がシャーシの最奥端部にある。そのため、クランパ支持体は、ディスク再生機の最奥端部からクランパにおよぶ比較的大きな部品となっていた。
さらに、一般的に、クランパにはディスクの中心孔に嵌合する略円錐台形突部が設けられ、この突部のテーパ面をディスクの中心孔縁部に摺接させて、ディスクの心出しを行うようにしているので、心出しが円滑に行われるようにするためにはテーパ面の角度を小さくする方が望ましい。ところが、この角度を小さくすると心出し可能なディスク偏心量が減少してしまうので、この偏心量を減少させないためには突部の高さを高くしなければならず、ディスク再生機の大形化を招いてしまい、心出しの円滑化と小形化との両立が困難となる問題があった。
【０００６】
本発明は、これらの問題に鑑みてなされたもので、クランパの略円錐台形突部の高さを高くすることなく、クランパによるディスクの心出しが円滑に行える、小形化に適したディスク再生機を提供することを目的とする。
【課題を解決するための手段】
【０００７】
ターンテーブルを支持したシャーシに、クランパを支持したクランパ支持体を回動自在に装着し、該クランパ支持体の回動によりクランパをターンテーブルに接近させて該クランパの略円錐台形突部をディスクの中心孔に嵌合させて心出しを行い、ばねによってターンテーブルとクランパとの間にディスク挟持圧を付与するディスク再生機において、前記クランパ支持体の前記シャーシに対する回動中心軸を、前記ターンテーブルの中心軸線より奥側位置において前記シャーシの左右側板間に設定し、ターンテーブルの中心軸線から前記回動中心軸までの距離を、ディスクの中心孔径より大きく、その２倍以内に設定する。
【０００８】
前記クランパ支持体の奥側縁部は、中央から左方および右方にかけて奥側へ傾斜させ、挿入されたディスクが該奥側縁部を通過して装填されるようにするとよい。
【発明の効果】
【０００９】
本発明のディスク再生機によれば、クランパ支持体は、特にディスク挿出方向の寸法が極端に小さく、左右方向に細長い部品となり、従来のクランパ支持体より大幅に小形化できる。また、クランパ支持体の長手方向の両端をシャーシの左右側板間に取付けるので、従来のようにディスク挿出方向に長いクランパ支持体を奥側のみで取付けるよりも、クランパ支持体の取付け強度を高めることもできる。
【００１０】
また、ターンテーブルの中心軸線とクランパ支持体の回動中心軸との間の距離が大幅に短縮されるので、クランパのターンテーブルに対する離間寸法を一定とすると、クランパ支持体の回動角度が大きくなり、クランパもターンテーブルに対して大きく回動しながら離接するようになる。そして、クランパ側の略円錐台形突部のテーパ面がディスク中心孔の縁部に摺接し始めるとき、該テーパ面最先は、ディスクに対する傾き分だけディスク中心孔の縁部に対する角度が緩やかになる。その結果、心出しの円滑性は不利になるが、心出し可能なディスク偏心量は増加傾向となる。従って、該テーパ面の角度を小さくして心出しの円滑性を維持し、同時にクランパの高さを押さながら心出し可能なディスク偏心量も維持することができ、心出しの円滑化と小形化との両立を図ることができる。
【００１１】
さらに、クランパ支持体の奥側縁部を、中央から左方および右方にかけて奥側へ傾斜させて、ディスクがクランパ支持体の奥側縁部を通過するようにしたことにより、ディスクが奥側縁部に接触したとしても、ディスクの上面の接触を回避でき、ディスク縁部の接触のみに止めることができる。
【発明を実施するための最良の形態】
【００１２】
以下、本発明を実施するための最良の形態を、図面を参照して説明する。
図１は車載用のディスク再生装置の機構部１の外観を示す斜視図である。前記ディスク再生装置の機構部１の正面には、ディスクＤを挿出するディスク挿入口２が設けられている。矢印Ａはディスク挿入方向を示し、その逆方向はディスク排出方向となる。そして、これらディスク挿入方向とディスク排出方向とを合わせて、ディスク挿出方向とする。
【００１３】
図２は、前記ディスク再生装置の機構部１を上ユニット３と下ユニット４とに分けて示し、さらに下ユニット４の一部であるピックアップユニット５とクランプ機構６とを分けて示す分解斜視図である。
図３は前記上ユニット３を示す平面図であり、図４は前記下ユニット４からピックアップユニット５とクランプ機構６とを除いた部位を示す平面図である。また、図５はピックアップユニット５を示す平面図である。
【００１４】
前記上ユニット３は、図２及び図３に示すように、上フレーム７及びディスク検知機構８で構成されている。前記下ユニット４は、図２、図４及び図５に示すように、下フレーム１０と、この下フレーム１０に取り付けられる３個の緩衝部材よりなるダンパ１１と、搬送ローラ機構１２と、ターンテーブル１３やピックアップ１４を含むピックアップユニット５と、クランプ機構６等で構成されている。
前記上フレーム７と下フレーム１０とで固定シャーシ１５を構成する。
【００１５】
図２及び図３の如く、略矩形状の金属板からなる前記上フレーム７は、天板１８の四辺より下方に折曲形成された側板を有し、その左右側板１９，２０のディスク挿出方向における前部及び後部にそれぞれ重ね合せ部２１，２２を設けている。
【００１６】
また図２及び図４の如く、略矩形状の金属板からなる前記下フレーム１０は、底板２３の四辺より上方に立上がる側板を有し、その左右側板２４，２５のディスク挿出方向における前部及び後部に、夫々重ね合せ部２６，２７を設けている。そして、上フレーム７と下フレーム１０との合体は、互いの対応する重ね合せ部同志を重ね合わせ、夫々の後部重ね合わせ部２２，２７をねじ２８（図２において右方のみ記載）にて固定する（図１参照）ことにより行なっている。
【００１７】
図２及び図３の如く、前記天板１８には、ほぼ中央に大きく開口した開口部２９を設けるとともに、この開口部２９に対しディスク挿出方向に直交する方向に位置して、第一及び第二上方被係合部である一対の延出片３０を下方へ延出させている。そして、前記天板１８の前部には、上面側から下方に向けて押出し加工した左右方向に長い凹みを形成してその部位を装着部３１としている。さらに、天板１８と装着部３１との間の段差部３２には、適宜切欠部３３を設けている。また、装着部３１には、ガイド部３４を形成している。
【００１８】
前記ディスク検知機構８は、左右一対の水平回動自在なディスク検知部材３５，３６と、両検出部材３５，３６間に掛渡されたコイルばね３７（図３に仮想線で示す）と、係止レバー３８と、図示しないスイッチとで構成されている。ディスク検知機構８は、装着部３１の上面に取付けられている。
【００１９】
前記ディスク検知部材３５，３６は、ディスクが挿入されたことを検知するもので、装着部３１の上面に突設された一対の支軸３９にそれぞれ回動自在に装着され、前記ディスク挿入口２の近傍まで延長された各延長端には下方に延びた検知部４０，４１（図２参照）を有している。
【００２０】
ディスク検知部材３５には、図中右方へ延出した連結片４２が形成されており、その先端には連結ピン４３が上方へ向けて形成されている。一方、ディスク検知部材３６には、図中左方へ延出した連結片４４が形成されており、その先端付近には連結溝４５が形成されている。そして、前記連結ピン４３をこの連結溝４５に係合させて、両ディスク検知部材３５，３６が左右対称に同期回動するようにしている。
【００２１】
両ディスク検知部材３５，３６は、前記切欠部３３の範囲内で回動自在となっており、前記コイルばね３７の付勢力により装着部３１の上面に形成された一対のストッパ部４６の夫々に一部を当接させて、初期位置を維持している。また、前記検知部４０，４１の近傍には弾性片４７，４８が設けられ、これらの弾性片４７，４８を装着部３１の上面に弾性的に常時圧接させて、検知部材３５，３６の振動によるラットルノイズの発生を防止するようにしている。
【００２２】
前記係止レバー３８は装着部３１の上面に突設された支軸４９に回動自在に装着され、ディスクが再生位置に挿入されたとき該ディスク検知部材３５，３６を回動位置に係止する。この係止レバー３８には、一端に一方のディスク検知部材３６に嵌合するピン５０、他端にディスク搬送経路内に位置して搬送途中のディスクの外周に摺接する図示しない摺接ピンが、それぞれ形成されている。そして係止レバー３８は、時計方向に極めて弱いばねで回動付勢されている。
【００２３】
図２及び図４の如く、前記下フレーム１０の底板２３には、大きく開口した大開口部５２を設け、その大開口部５２周辺の底板２３上面３箇所には、前記ダンパ１１を固着する固定部５３を設けている。また、左側板２４後部付近において、底板２３を上方へ向けて押出し加工にて山形形状とした押出し部５４を設け、その前方位置に、左側板２４の一部を装置内側へ向けて切曲げした切曲げ部５５を設けている。この切曲げ部５５には、略Ｄ字状の被係合部である孔５６が設けられている（図１１参照）。さらに、図中右方には右側板２５より内側に向けて形成された前方及び後方被係合部である一対の折曲部５７が設けられている。そして、前方及び後方折曲部５７，５７を前記孔５６より手前側及び奥側に夫々設けている。
【００２４】
前記底板２３の固定部５３には、前記３箇のダンパ１１の各台座５８を固着し、各ダンパ１１の有底筒部５９を前記ピックアップユニット５の一部に取付けて、ピックアップユニット５がこれらのダンパ１１を介して、下フレーム１０に対してフローティング状態に支持されるようにしている。また、下フレーム１０の左右側板２４，２５のディスク挿入口２近傍には、前記搬送ローラ機構１２が配置されている。
【００２５】
前記ピックアップユニット５は、図２及び図５に示すように、一部を仮想線で示すフローティングシャーシ６０に、ピックアップ駆動機構６１、ローディング機構６２、ディスク回転機構６３を取り付けて構成されている。
【００２６】
フローティングシャーシ６０は金属板製で、ほぼ四角形をなす平板部６５と、上方へ折り曲げた左右側板６６，６７と、下方へ折り曲げた前板６８と、上方へ折り曲げた後板６９とを有している。前記平板部６５には、図５中ほぼ中央から左上方に向けて長い矩形孔７０を有し、この矩形孔７０の内側にピックアップ１４が矩形孔７０の長手方向に移動自在に配置されている。また、該矩形孔７０の長手方向と平行にレール部７１が設けられ、前記ピックアップ１４の一部で、このレール部７１を挟む構成となっている。この平板部６５において、前記右側板６７の近傍には溝７２（仮想線で示す）が設けられている。さらに、この平面部６５には、ディスクの挿入を規制する左右一対のストッパ片７３を設けている。そして、前記矩形孔７０の図中右方には第一モータ７４が配置されている。
【００２７】
前記ピックアップ駆動機構６１は、前記ピックアップ１４に挿通し前記レール部７１と平行に配置される金属製の主ガイドレール７５、一端に小ギヤ７６を設けた合成樹脂製の送りねじ７７、前記主ガイドレール７５及び送りねじ７７の両端を夫々支持する第一支持部材７８，第二支持部材７９、一端をピックアップ１４に固定し他端を前記送りねじ７７に当接させる薄板製のピックアップ送り板８０で構成されている。前記主ガイドレール７５、小ギヤ７６、送りねじ７７、第一、第二支持部材７８，７９は、前記フローティングシャーシ６０の平板部６５の下面側に配置される。
【００２８】
前記ローディング機構６２は、ピックアップ１４をロックするロック部材８２と、前記第一モータ７４の駆動力を伝達する駆動力伝達手段８３と、第一モータ７４の駆動力を受け、図中前後に移動するスライド板８４及びディスクが前記ターンテーブル１３にチャッキングする直前を検知するトリガ部材８５とで構成されている。また、図示しないが、前記ロック部材８２にはこの部材を時計方向に付勢するばねが、前記トリガ部材８５には反転ばねがそれぞれ取付けられている。
そして、前記ロック部材８２、駆動力伝達手段８３、トリガ部材８５は、平板部６５の下面側に配置され、前記スライド板８４は、右側板６７に配置される。
【００２９】
前記ロック部材８２は、略中央に回動支点８６を設け、一方に摺接ピン８７、他方にロック部８８を設けている。なお、ロック部材８２は、図示しないばねによって、時計方向に回動付勢されている。
【００３０】
図６はスライド板８４とその周辺部品との関係を示す側面図であり、スライド板８４の図中中央上部にはカム溝８９を設けている。このカム溝８９の下方には、前方及び後方被係合部である上下方向の幅が狭いスリット部９０，９１と、上下方向幅広の逃げ部９２，９３とからなる一対の貫通孔９４，９５を設けている。また、スライド板８４の図６における左端には、ローラ位置切換部であるカム面９６を設けている。さらに、図５に示す如く、スライド板８４には、図中左方に突出した被押圧部９７が設けられている。
【００３１】
前記トリガ部材８５は、一端側に上方へ延出する被当接部９８、他端側にラック９９、中間部に回動軸１００を、夫々設けている。さらに、他端部には上方に突出するボス１０１も設けている。このボス１０１は、前記フローティングシャーシ６０の溝７２に挿通させている。
【００３２】
前記ディスク回転機構６３は、前記矩形孔７０の図中最前部に取付けられた第二モータ１０２と、この第二モータ１０２の軸に直結された前記ターンテーブル１３とで構成されている。
【００３３】
前記駆動力伝達手段８３は、図５及び図７の如く、ギヤ群を主体とし、前記第一モータ７４の駆動力を、搬送ローラ機構１２等又はピックアップ駆動機構６１に適宜伝達する切換手段１０３と、第三支持部材１０４と、第四支持部材１０５とで構成されている。
【００３４】
ギヤ群は、前記第一モータ７４のシャフトに装着されたウォームギヤ１０６と、二段ギヤよりなる第一ギヤ１０７、第二ギヤ１０８及び第三ギヤ１０９と、三段ギヤよりなる第四ギヤ１１０と、ディスク挿出方向に長く両端部に第一ウォーム１１１，第二ウォーム１１２を一体形成した第五ギヤ１１３と、前記第四支持部材１０５に取付けられる、二段ギヤよりなる第六ギヤ１１４と、連結ギヤである第七ギヤ１１５とで構成されている。この第七ギヤ１１５は、前記スライド板８４のカム面９６に近い位置に配置されている。
【００３５】
前記切換手段１０３は、仮想線で示す金属板製の切換板１１６と、この切換板１１６に取付けた前記第二ギヤ１０８とで構成される。前記切換板１１６は、図中下端部が右方に曲がった形状をなし、その先端を押圧部１１７とし、図中上端に円弧部１１８と傾斜部１１９とからなるカム部１２０を有し、中間部を前記第一ギヤ１０７と共通の軸１２１に回動自在に軸支されている。前記第二ギヤ１０８は前記カム部１２０と軸１２１とのほぼ中間位置に回転自在に軸支されている。そして、切換板１１６の回動により第二ギヤ１０８を、第三ギヤ１０９又は第四ギヤ１１０に適宜噛合させて、前記第一モータ７４の駆動力をピックアップ駆動機構６１又は搬送ローラ機構１２に伝達するようにしている。
【００３６】
第一ギヤ１０７は、前記フローティングシャーシ６０の裏面側に軸支され、一段目の大ギヤをヘリカルギヤとして、このヘリカルギヤをウォームギヤ１０６に噛合させている。第一ギヤ１０７の二段目の小ギヤは第二ギヤ１０８の大ギヤに常時噛合させている。第四ギヤ１１０は、前記フローティングシャーシ６０の裏面側に軸支され、中ギヤを第五ギヤ１１３の第一ウォーム１１１に噛合させている。
【００３７】
第五ギヤ１１３は、第一ウォーム１１１側を前記第三支持部材１０４に支持され、第二ウォーム１１２側を第四支持部材１０５に回転自在に支持されている。この第三支持部材１０４及び第四支持部材１０５は前記フローティングシャーシ６０の裏面側に取付けられている。第五ギヤ１１３の第二ウォーム１１２は第四支持部材１０５に回転自在に取付けられた第六ギヤ１１４の小ギヤと噛合している。この小ギヤはヘリカルギヤである。第六ギヤ１１４の大ギヤは同じく第四支持部材１０５に回転自在に取付けられた第七ギヤ１１５に噛合させている。また、第三ギヤ１０９の大ギヤはピックアップ駆動機構の一部である前記小ギヤ７６に常時噛合させている。
【００３８】
図７に示すように、第二ギヤ１０８の小ギヤが第四ギヤ１１０の大ギヤに噛合していると、第一モータ７４の駆動力が前記搬送ローラ機構１２に伝達され、切換板１１６が反時計方向に回動して、第二ギヤ１０８の大ギヤが第三ギヤ１０９の小ギヤと噛合すると、第一モータ７４の駆動力がピックアップ駆動機構６１に伝達される。
【００３９】
前記クランプ機構６は、図８及び図９に示すように、クランパ１２２と、このクランパ１２２を回転支持する薄板製の支持板１２３と、この支持板１２３を取着し、前記クランパ１２２を前記ターンテーブル１３に対して離接させるクランパ支持体１２４とで構成される。
【００４０】
図９の如く、クランパ１２２は、図中上方に軸部１２５と、図中下方にディスクの中心孔に嵌合する略円錐台形突部１２６とを有し、この略円錐台形突部１２６の先端外周縁にディスクの心出し用テーパ１２７を有している。
【００４１】
クランパ１２２は、前記軸部１２５を前記支持板１２３の一端側にて回転自在に支持され、支持板１２３は、他端側をクランパ支持体１２４に固着され、ターンテーブル１３とクランパ１２２とでディスクを挟持するときは、支持板１２３の一部でクランパ１２２の軸端を弾性的に押圧してターンテーブル１３とクランパ１２２との間にディスク挟持圧を付与するようにしている。
【００４２】
クランパ支持体１２４は、図８に示すように、左右方向に細長い板金製で、平板１２８の左右端に下方へ折り曲げられた側板１２９，１３０を有している。そして平板１２８には、略菱形状の第一及び第二上方係合部である一対の菱孔１３１，１３２を設け、各菱孔１３１，１３２には、図中左右角部にそれぞれストレート溝１３３，１３４を形成している。クランパ支持体１２４の図中奥側縁部１３５は、中央から左方及び右方にかけて僅かに奥側へ傾斜するように形成されている。また、右側板１３０の図中前端部には係合ピン１３６が取着されており、この係合ピン１３６は、前記スライド板８４のカム溝８９（図６参照）に嵌合する。
【００４３】
前記左側板１２９は、図９に示すように一部を下方へ延長し、該延長部の下端部が二股形状に形成されており、図中右側を係合部である第一片１３７、左側を第二片１３８としている。また、左右側板１２９，１３０（左側版１２９のみ図示）には、それぞれ軸孔１３９が設けられており、各軸孔１３９は前記フローティングシャーシ６０の左右側板６６，６７（図５参照）にそれぞれ設けられた突部（図示せず）に係合し、クランパ支持体１２４は、それらの突部を中心に回動自在となっている。
【００４４】
また、前記クランパ支持体１２４の前記フローティングシャーシ６０に対する回動中心軸（両軸孔１３９の中心間を結ぶ線）は、前記ターンテーブル１３の中心軸線より距離Kだけ奥側にあり、距離ＫはディスクＤの中心孔径（１５ｍｍ）より大きく、かつ、その２倍（３０ｍｍ）以内、例えば２５ｍｍ程度に設定される。さらに、前記クランパ支持体１２４の奥側縁部１３５は、中央から左方及び右方にかけて奥側へ僅かに傾斜させている。
【００４５】
搬送ローラ機構１２は、図４及び図１０の如く、搬送ローラ１４１と、ローラブラケット１４２とで構成されている。
【００４６】
搬送ローラ１４１は、外方端から内方端にかけて漸次小径となる一対の合成ゴム製テーパ筒体１４３に金属製の軸１４４を挿通させて構成されている。軸１４４の両端はテーパ筒体１４３の外方端から突出し、その突出する軸１４４の一端側には前記駆動力伝達手段８３（図５参照）の一部であるローラギヤ１４５を、また他端側にはカラー１４６を、夫々を取付けている。
【００４７】
ローラブラケット１４２は金属板よりなるもので、左右に長い連結板１４７の左右端に、上方へ向けて折曲形成された左右側板１４８を有し、これらの左右側板１４８を連結板１４７より奥側へ延出させている。左右側板１４８は、各内面側の略中間部に絞り加工による凸状筒部１４９をそれぞれ有し、各凸状筒部１４９を下フレーム１０（図２参照）の左右側板２４，２５に形成された溝１５０（一方のみ仮想線で示す）に嵌合させ、凸状筒部１４９，１４９を支点として、上下回動自在に装着される。また、左右側板１４８間の延出部で搬送ローラ１４１の軸１４４両端を回転自在に支持するようにしている。
【００４８】
前記連結板１４７の後縁は裏面側に向けて折曲された山折縁部１５１となっている。この山折縁部１５１は、平面図上ではほぼ左右対称となるＶ形凹状ともなっているが、その傾斜角度は、ローラの軸心線に対して約１°程度の僅かなものである。また、連結板１４７の前縁には上方に向けて屈曲した左右一対の屈曲部１５２が設けられている。これらの屈曲部１５２は、搬送ローラ１４１が下方位置にあるとき、すなわち、ディスクが再生位置に挿入されているときは上方位置にあってディスク挿入口２（図１参照）を塞いで、ディスクの二重挿入を防止する。さらに図１０に示すように、前記ローラブラケット１４２の右側板１４８の最奥部には、外方へ向けて略直角に曲げられた折曲片１５３が設けられている。なお、ローラブラケット１４２は図示しないばねにより、搬送ローラ１４１を上昇させる方向に常時付勢されている。
【００４９】
次にディスク再生機の機構部１の動作について説明する。
まず、ディスク再生機の機構部１のディスク搬送状態を説明する。
ディスクが挿入されていない状態では、前記フローティングシャーシ６０は固定シャーシ１５に対して固定された状態となっている。この固定された状態とは、フローティングシャーシ６０またはフローティングシャーシに取り付けられた部品が固定シャーシ１５に嵌合している状態を示す。搬送ローラ１４１は、ディスク搬送位置に位置されている。
【００５０】
具体的には、図２に示す如く、前記固定シャーシ１５の一部である上フレーム７に設けられた一対の延出片３０が、前記フローティングシャーシ６０に取付けられたクランパ支持体１２４の一対の菱孔１３１，１３２に嵌合されている。図１１に示す如く、ストレート部１３３，１３４に前記一対の延出片３０が挿入され、これにより、ディスク挿出方向及びディスク挿出方向に直交する方向（図中上下方向及び左右方向）の動きを規制している。
さらに、図１２に示す如く、スライド板８４がディスク排出方向（図中左方）に位置し、一対の折曲部５７がそれぞれ対応するスリット部９０，９１内にあり、固定シャーシ１５に対するフローティングシャーシ６０の上下方向（再生機厚み方向）の動きを規制している。
【００５１】
また、図１３に示す如く、前記固定シャーシ１５の一部である下フレーム１０の左側版２４に設けられた切曲げ部５５（図２，図４参照）の孔５６には、フローティングシャーシ６０に取付けられた前記クランパ支持体１２４の第一片１３７が挿入されている。これにより、ディスク挿出方向に垂直に交わる方向（図中上下方向）が固定されている。さらに、図６に示す如く、前記スライド板８４のスリット部９０，９１に前記下フレーム１０に設けられた一対の折曲部５７（図４参照）が挿入され、これにより、ディスク挿出方向に垂直に交わる方向（図中上下方向）が固定されている。
【００５２】
このような前記フローティングシャーシ６０が固定された状態でディスクの挿入を行う。
図１４は、ディスク挿入口２よりディスクＤをディスク検知部材３５，３６の検知部４０，４１間に挿入し、ディスクの外周面が両検知部４０，４１に接触した状態を示している。この状態から、ディスクＤを、その外周面で検知部４０，４１間を押し広げながら挿入すると、ディスク検知部材３５，３６が回動する。すると、図示しないスイッチがオンされて、ディスクが挿入されたことを検知して第一モータ７４（図７参照）が起動する。
【００５３】
前記第一モータ７４が起動すると、図６に示す如く、スライド板８４が図中右方に移動する。スライド板８４の移動に伴い前記搬送ローラ１４１が、ディスク搬送位置へ移動し、かつ、第一モータ７４に回転駆動され、ディスクＤを搬送する。これによってディスクＤは、図８に仮想線で示す如く、クランパ支持体１２４の奥側縁部１３５を通過する。そして、ディスクＤは所定の再生位置より僅か奥側まで搬送される。（図示せず）
【００５４】
また、スライド板８４の移動に伴い、図６の如く、クランパ支持体１２４の係合ピン１３６がカム溝８９に沿って下降する。この過程では、図９の如く、クランパ支持体１２４は、軸１３９を中心に図中時計方向に回動し、クランパ１２２が仮想線で示した位置から実線で示した位置まで下降する。このとき、図１６の如く、略円錐台形突部１２６のディスク心出し用テーパ１２７をディスクＤの中心孔上縁に摺接させてディスクＤの心出しを行ないながら略円錐台形突部をディスクの中心孔に嵌合させる。同時に、スライド板８４の移動で固定シャーシ１５に対するフローティングシャーシ６０の固定が図１５のように解除される。
【００５５】
この嵌合の際、ターンテーブル１３の中心軸線（図９参照）とクランパ支持体１２４の回動中心軸との間の距離が大幅に短縮されているので、クランパ支持体１２４の回動角度が大きくなり、クランパ１２２もターンテーブル１３に対して大きく回動しながら離接する。そして、クランパ１２２側の略円錐台形突部１２６のテーパ１２７がディスク中心孔の縁部に摺接し始める際、該テーパ１２７のディスクＤ中心孔縁部に対する角度は、クランパ１２２の、ディスクに対する傾き分だけ緩やかになっている。
【００５６】
そして、クランパ１２２と前記ターンテーブル１３とでディスクＤを挟持し、ディスクＤはディスク再生位置に位置決めされて、ディスク再生準備が完了する。
【００５７】
以上の構成によれば、クランパ支持体１２４は、特にディスク挿出方向の寸法が極端に小さく、左右方向に細長い部品となり、従来のクランパ支持体より大幅に小形化できる。また、クランパ支持体１２４の長手方向の両端をフローティングシャーシ６０の左右側板６６，６７間に取付けるので、従来のようにディスク挿出方向に長いクランパ支持体１２４を奥側のみで取付けるよりも、クランパ支持体１２４の取付け強度を高めることもできる。
【００５８】
さらに、ターンテーブル１３の中心軸線とクランパ支持体１２４の回動中心軸との間の距離が大幅に短縮されるので、クランパ１２２のターンテーブル１３に対する離間寸法を一定とすると、クランパ支持体１２４の回動角度が大きくなり、クランパ１２２もターンテーブル１３に対して大きく回動しながら離接するようになる。そして、クランパ１２２側の略円錐台形突部１２６のテーパ１２７がディスク中心孔の縁部に摺接し始めるとき、該テーパ１２７最先は、ディスクに対する傾き分だけディスク中心孔の縁部に対する角度が緩やかになる。
【００５９】
一般にテーパの、ディスク中心孔縁部に対する角度が緩やかになると、心出しの円滑性は不利になるが、心出し可能なディスク偏心量は増加する。そこで、本発明ではターンテーブル１３１に対するクランパ１２２の回動角度が大きくなるので、該テーパ１２７の角度を小さくして心出しの円滑性を維持し、同時にクランパ１２２の高さを抑えながら心出し可能なディスク偏心量も維持することができ、心出しの円滑化と小形化との両立を図ることができる。
【００６０】
さらに、クランパ支持体１２４の奥側縁部１３５を、中央から左方および右方にかけて奥側へ傾斜させて、ディスクがクランパ支持体１２４の奥側縁部１３５を通過して搬送されるようにしたことにより、ディスク上面の接触を回避でき、ディスクが奥側縁部１３５に接触したとしても、ディスク縁部の接触のみに止めることができる。
【図面の簡単な説明】
【００６１】
【図１】ディスク再生機を示す斜視図。
【図２】ディスク再生装置の分解斜視図。
【図３】上ユニットを示す平面図。
【図４】下ユニットからピックアップユニットとクランプ機構とを除いた状態を示す平面図。
【図５】ピックアップユニットを示す平面図。
【図６】スライド板と周辺部品との関係を示す側面図。
【図７】駆動力伝達手段を示す平面図。
【図８】クランプ機構を示す平面図。
【図９】クランプ動作を示す左側面図。
【図１０】搬送ローラ機構を示す斜視図。
【図１１】クランパ支持体の菱孔と固定シャーシの延長片との関係を示す平面図。
【図１２】ディスク未挿入状態におけるスライド板とクランパとの関係を示す側面図。
【図１３】クランパ支持体の第一片と固定シャーシの被係合部孔との関係を示す正面図。
【図１４】ディスク再生機の使用状態を示す平面図。
【図１５】ディスク挿入状態におけるスライド板とクランパとの関係を示す側面図。
【図１６】ディスク心出し用テーパ面とディスクとの関係を示す側面図。
【符号の説明】
【００６２】
１３            ターンテーブル
６０        フローティングシャーシ
６６        左側板
６７        右側板
１２２      クランパ
１２４      クランパ支持体
１３５      奥側縁部
Ｋ          ターンテーブルの中心軸線からクランパ支持体の回動中心軸までの距離
【図２】
2009099205.tif 000003
【図３】
2009099205.tif 000004
【図５】
2009099205.tif 000005
【図７】
2009099205.tif 000006
【図１４】
2009099205.tif 000007
【図１】
2009099205.tif 000008
【図４】
2009099205.tif 000009
【図６】
2009099205.tif 000010
【図８】
2009099205.tif 000011
【図９】
2009099205.tif 000012
【図１０】
2009099205.tif 000013
【図１１】
2009099205.tif 000014
【図１２】
2009099205.tif 000015
【図１３】
2009099205.tif 000016
【図１５】
2009099205.tif 000017
【図１６】
2009099205.tif 000018